【手続補正書】
【提出日】平成25年7月8日(2013.7.8)
【手続補正１】
【補正対象書類名】明細書
【補正対象項目名】０２９４
【補正方法】変更
【補正の内容】
【０２９４】
伝達行列Ｔ及び逆伝送行列Ｔ-1に関する知識によって、レーザ送達システム１の実施の形態は、光学的手法に代えて、演算的手法によって、図１６の収差を修正することができる。これらの実施の形態は、ＸＹスキャナ３００及びＺスキャナ４５０の少なくとも１つを制御して、レーザ送達システム１の光学的歪みを制御することができる演算コントローラを含むことができる。
【手続補正２】
【補正対象書類名】明細書
【補正対象項目名】０２９５
【補正方法】変更
【補正の内容】
【０２９５】
図１９は、例えば、標的領域において、所定のＺ焦点深度Ｚにおける平坦な焦点面に沿って、光学的歪を低減して、走査パターンに沿った走査が望まれる場合、演算コントローラは、以下のコンピュータ制御メソッド９００のステップを実行できることを示している。
【手続補正３】
【補正対象書類名】特許請求の範囲
【補正対象項目名】全文
【補正方法】変更
【補正の内容】
【特許請求の範囲】
【請求項１】
レーザビームを生成するレーザ光源と、
受け取ったレーザビームの焦点を、前記レーザシステムの光軸を実質的に横断するＸＹ方向に走査するＸＹスキャナと、
演算コントローラと、
前記演算コントローラによって制御される位置アクチュエータと、
前記レーザ光源と前記ＸＹスキャナとの間の光路内に配置され、光軸に沿ってＺ方向に可動な前置補償可動レンズを備えるレンズグループであって、前記レーザレーザ光源によって生成された前記レーザビームを受け取り、前記演算コントローラの制御の下、予め保存された伝達アルゴリズムに従って前記位置アクチュエータによって前記前置補償可動レンズを移動させることで前記レーザビームの収差を前置補償して、前記前置補償されたレーザビームを前記ＸＹスキャナに送るように構成されたレンズグループとを備える、
眼科手術用レーザシステム。
【請求項２】
前記レンズグループの可動レンズは、Ｚ移動範囲内で移動し、前記レーザシステムの焦点を光軸に沿ってＺ走査範囲内で移動させ、前記Ｚ走査範囲の長さは、０．３ｍｍから４ｍｍまでの範囲内である請求項１記載の眼科手術用レーザシステム。
【請求項３】
前記レンズグループの可動レンズは、Ｚ移動範囲内で移動し、前記レーザシステムの焦点を光軸に沿ってＺ走査範囲内で移動させ、前記Ｚ走査範囲の長さは、０．５ｍｍから２ｍｍまでの範囲内である請求項１記載の眼科手術用レーザシステム。
【請求項４】
前記レンズグループの可動レンズは、前記レーザシステムのストレール比Ｓが値Ｓ（ｍｏｖａｂｌｅ）より高くなる位置に移動可能であり、
前記レーザシステムのストレール比Ｓは、前記可動レンズのＺ移動範囲に沿った少なくとも１個の点において、Ｓ（ｍｏｖａｂｌｅ）より低く、
前記Ｓ（ｍｏｖａｂｌｅ）は、０．６、０．７、０．８及び０．９のうちの１個である請求項１記載の眼科手術用レーザシステム。
【請求項５】
前記レンズグループの可動レンズは、Ｚ移動範囲内で移動して、前記レーザシステムのストレール比ＳをＳ（ｍｉｎ）からＳ（ｍａｘ）の範囲内で変更し、
前記Ｓ（ｍｉｎ）は０．６であり、前記Ｓ（ｍａｘ）は０．９５である請求項１記載の眼科手術用レーザシステム。
【請求項６】
前記レンズグループの可動レンズは、Ｚ移動範囲内で移動して、前記レーザシステムのストレール比ＳをＳ（ｍｉｎ）からＳ（ｍａｘ）の範囲内で変更し、
前記Ｓ（ｍｉｎ）は０．７であり、前記Ｓ（ｍａｘ）は０．９５である請求項１記載の眼科手術用レーザシステム。
【請求項７】
前記ストレール比Ｓは、標的領域内の５個の参照点の少なくとも１個に対応し、
前記５個の参照点は、単位をｍｍとして、（０，０）における前記標的領域の前面の中心に対して、任意のアジマス角φにおけるＰ１＝（０，０）、Ｐ２＝（２，６）、Ｐ３＝（５，０）、Ｐ４＝（８，０）、Ｐ５＝（８，３）として前記標的領域内のそれらの円筒座標（ｚ，ｒ）によって決定される請求項６記載の眼科手術用レーザシステム。
【請求項８】
前記ＸＹスキャナは、標的領域内で、前記レーザシステムの焦点を、ＸＹ走査速度で、ＸＹ方向に移動させるように構成されており、
前記レンズグループ及び前記可動レンズは、前記標的領域内で、前記レーザビームの焦点を、Ｚ走査速度で、Ｚ方向に移動させるように構成されており、
前記Ｚ走査速度と最大ＸＹ走査速度との比は、走査速度比より大きく、
前記走査速度比は、５％、１０％及び２０％のうちの１つである請求項１記載の眼科手術用レーザシステム。
【請求項９】
前記レンズグループの可動レンズは、前記レーザシステムの焦点を、Ｚ走査時間内に、Ｚ方向に０．５ｍｍから１ｍｍ移動させるように構成されており、
前記Ｚ走査時間は、１０ナノ秒から１００ナノ秒まで、１００ナノ秒から１ミリ秒まで、１ミリ秒から１０ミリ秒まで及び１０ミリ秒から１００ミリ秒までの範囲の１つに含まれる請求項１記載の眼科手術用レーザシステム。
【請求項１０】
前記レンズグループの可動レンズは、Ｚ移動範囲内で移動可能であり、第１の収差測定値を少なくとも可動パーセンテージＰ（ｍｏｖａｂｌｅ）だけ減少させ、
前記第１の収差測定値は、球面収差係数ａ40、ＲＭＳ波面誤差ω及び焦点半径ｒfのうちの一つであり、
前記可動パーセンテージＰ（ｍｏｖａｂｌｅ）は、１０％、２０％、３０％及び４０％のうちの１つである請求項１記載の眼科手術用レーザシステム。
【請求項１１】
前記レンズグループの可動レンズは、Ｚ移動範囲内で移動可能であり、第２の収差測定値を少なくとも可動パーセンテージＰ（ｍｏｖａｂｌｅ）だけ増加させ、
前記第２の収差測定値は、ストレール比Ｓであり、
前記可動パーセンテージＰ（ｍｏｖａｂｌｅ）は、１０％、２０％、３０％及び４０％のうちの１つである請求項１記載の眼科手術用レーザシステム。
【請求項１２】
前記可動レンズ及び前記レンズグループは、前記レーザシステムの特徴の１つを他の３つの特徴から実質的に独立して変更できるように構成されており、前記レーザシステムの特徴は、
前記レーザシステムの開口数、焦点深度、収差測定値及びビーム直径を含む請求項１記載の眼科手術用レーザシステム。
【請求項１３】
前記レンズグループは第２の可動レンズを更に備え、
前記第１及び第２の可動レンズは、前記レーザシステムの特徴の２つを他の２つの特徴から実質的に独立して変更できるように構成されており、前記レーザシステムの特徴は、前記レーザシステムの開口数、焦点深度、収差測定値及びビーム直径を含む請求項１記載の眼科手術用レーザシステム。
【請求項１４】
前記レンズグループは、１個から５個までのレンズを含む請求項１記載の眼科手術用レーザシステム。
【請求項１５】
前記レンズグループは、Ｄ１＊ａ＊ｔ１、Ｄ２＊ａ＊ｔ２及びＤ３＊ａ＊ｔ３の範囲内の屈折力を有し且つ距離ｄ１／ａ及びｄ２／ａだけ離間された３つのレンズを備え、
Ｄ１は、−３ｍｍから−５ｍｍまでの範囲内であり、Ｄ２は、３ｍｍから５ｍｍまでの範囲内であり、Ｄ３は、−３．５ｍｍから−６ｍｍまでの範囲内であり、
ｄ１は、６０ｍｍから１００ｍｍまでの範囲内であり、ｄ２は、３ｍｍから９ｍｍまでの範囲内であり、
前記ｄ１及びｄ２の少なくとも１つは可変距離であり、
ａは、０．３から３までの範囲内であり、
ｔ１、ｔ２及びｔ３は、０．８から１．２までの範囲内である請求項１記載の眼科手術用レーザシステム。
【請求項１６】
前記レンズグループは、Ｄ１＊ａ＊ｔ１、Ｄ２＊ａ＊ｔ２、Ｄ３＊ａ＊ｔ３及びＤ４＊ａ＊ｔ４の範囲内の屈折力を有し且つ距離ｄ１／ａ、ｄ２／ａ及びｄ３／ａだけ離間された４つのレンズを備え、
Ｄ１は、−１５ｍｍから−２０ｍｍまでの範囲内であり、Ｄ２は、−５ｍｍから−８ｍｍまでの範囲内であり、Ｄ３は、−２５ｍｍから−３５ｍｍまでの範囲内であり、Ｄ４は、７ｍｍから１０ｍｍまでの範囲内であり、
ｄ１は、１００ｍｍから１３０ｍｍまでの範囲内であり、ｄ２は、３２ｍｍから４１ｍｍまでの範囲内であり、ｄ３は、３３ｍｍから４５ｍｍまでの範囲内であり、
ｄ１、ｄ２及びｄ３の少なくとも１つは可変距離であり、
ａは、０．２から５までの範囲内であり、
ｔ１、ｔ２、ｔ３及びｔ４は、０．７から１．３までの範囲内である請求項１記載の眼科手術用レーザシステム。
【請求項１７】
前記伝達アルゴリズムはコンピュータによるレイトレーシングと物理的な較正とのうちの少なくとも１つによって決定される請求項１記載の眼科手術用レーザシステム。
【請求項１８】
前記伝達アルゴリズムは、伝達行列と、スキャナ行列と焦点行列との間の非線形的な関係とのうちの少なくとも１つを含む請求項１記載の眼科手術用レーザシステム。
【請求項１９】
前記伝達アルゴリズムはルックアップテーブル内に予め保存される、請求項１記載の眼科手術用レーザシステム。